(57)【要約】      （修正有）【課題】災害救助工具をコンパクトに収容して屋外に設置できるとともに、長尺工具であっても短尺工具であっても容易に取出すことができる屋外設置用災害救助工具ボックスを提供する。【解決手段】屋外に設置される外ボックス１２と、外ボックス１２内に取出可能に収容された収容ボックス１５と、を備え、外ボックス１２は、前面に開口１２ａを有する縦長の外ボックス本体１３と、外ボックス本体１３の前面を開閉する開閉扉１４と、を有し、収容ボックス１５は、上下に仕切る棚板１５ｅを有し、短尺工具を収容可能な複数の短尺工具収容部１５ｆが棚板１５ｅにより区画され、外ボックス１２の外側側面部１３ｃ及び外側背面部１３ｄと、収容ボックス１５の内側側面部１５ｃ及び内側背面部と、の間に、長尺工具が縦向きに収容される長尺工具収容部１３ｆが設けられている。【選択図】図２
0003215889.tif 000002
【実用新案登録請求の範囲】
【請求項１】
屋外に設置される外ボックスと、前記外ボックス内に取出可能に収容された収容ボックスと、を備え、
前記外ボックスは、前面に開口を有する縦長の外ボックス本体と、前記外ボックス本体の前面を開閉する開閉扉と、を有し、
前記収容ボックスは、上下に仕切る棚板を有し、短尺工具を収容可能な複数の短尺工具収容部が前記棚板により区画され、
前記外ボックスの外側側面部及び外側背面部と、前記収容ボックスの内側側面部及び内側背面部と、の間に、長尺工具が縦向きに収容される長尺工具収容部が設けられている、ことを特徴とする屋外設置用災害救助工具ボックス。
【請求項２】
前記外ボックスの所定高さにおける内面には、該内面との間に前記長尺工具の一部を配置可能な間隙を設けて、前記内面に沿って帯状の倒れ防止部材が配設されていることを特徴とする請求項１に記載の屋外設置用災害救助工具ボックス
【請求項３】
前記収容ボックスを載置して前記長尺工具の着脱可能な頭部を収容した中空架台が、前記外ボックス内に取出可能に収容されていることを特徴とする請求項１又は２に記載の屋外設置用災害救助工具ボックス。
【請求項４】
前記外ボックスの外側上面部には位置表示灯が配設されていることを特徴とする請求項１乃至３の何れか一つに記載の屋外設置用災害救助工具ボックス。
【請求項５】
前記外ボックスの開口端部の全周囲と前記開閉扉との間には、前記開閉扉を密閉する扉シール部が連続して設けられていることを特徴とする請求項１乃至４の何れかに記載の屋外設置用災害救助工具ボックス。
【考案の詳細な説明】
【技術分野】
【０００１】
本考案は、屋外に設置される外ボックス内に短尺工具及び長尺工具を収容した屋外設置用災害救助工具ボックスに関する。
【背景技術】
【０００２】
近年多発している大規模災害に備え、全国の自治体では避難区域が比較的広範囲に区画され、非常食や飲用水等の備蓄品、リヤカーや発電機等の各種設備、各種の災害救助工具が、避難区域における公共施設等の所定地点に設けられた各種の倉庫に保管されている。
下記特許文献１では、災害救助工具をセット化し、防水性を有して屋外に設置される工具収納ボックスに収容して保管されている。
【先行技術文献】
【特許文献】
【０００３】
【特許文献１】実用新案登録第３１２０９６０号公報
【考案の概要】
【考案が解決しようとする課題】
【０００４】
しかしながら大規模災害が発生した場合、各種備蓄品などは多数の避難者に順次配給することでよいが、災害救助工具では発生直後に多数セットが同時に使用されことが必要のとなる。ところが従来は、備蓄品とともに１乃至数セットの災害救助工具が準備されている程度であるため、一部の被災が使用していると、他の多くの被災が使用できなくなり、多数の被災者を同時に救助することができなかった。
【０００５】
そこで本考案では、災害救助の際に同時に多数の場所で必要な災害救助工具をできるだけコンパクトに収容して屋外に設置することができるとともに、長尺工具であっても短尺工具であっても容易に取出して使用することができる屋外設置用災害救助工具ボックスを提供することを目的としている。
【課題を解決するための手段】
【０００６】
上記のような本考案の目的を達成する屋外設置用災害救助工具ボックスは、屋外に設置される外ボックスと、前記外ボックス内に取出可能に収容された収容ボックスと、を備え、前記外ボックスは、前面に開口を有する縦長の外ボックス本体と、前記外ボックス本体の前面を開閉する開閉扉と、を有し、前記収容ボックスは、上下に仕切る棚板を有し、短尺工具を収容可能な複数の短尺工具収容部が前記棚板により区画され、前記外ボックスの外側側面部及び外側背面部と、前記収容ボックスの内側側面部及び内側背面部と、の間に、長尺工具が縦向きに収容される長尺工具収容部が設けられている、ことを特徴としている。
【０００７】
請求項２に記載の屋外設置用災害救助工具ボックスは、請求項１に記載の構成に加え、前記外ボックスの所定高さにおける内面には、該内面との間に前記長尺工具の一部を配置可能な間隙を設けて、前記内面に沿って帯状の倒れ防止部材が配設されていることを特徴としている。
【０００８】
請求項３に記載の屋外設置用災害救助工具ボックスは、請求項１又は２に記載の構成に加え、前記収容ボックスを載置して前記長尺工具の着脱可能な頭部を収容した中空架台が、前記外ボックス内に取出可能に収容されていることを特徴としている。
【０００９】
請求項４に記載の屋外設置用災害救助工具ボックスは、請求項１乃至３の何れか一つに記載の構成に加え、前記外ボックスの外側上面部には位置表示灯が配設されていることを特徴としている。
【００１０】
請求項５に記載の屋外設置用災害救助工具ボックスは、請求項１乃至４の何れかに記載の構成に加え、前記外ボックスの開口端部の全周囲と前記開閉扉との間には、前記開閉扉を密閉する扉シール部が連続して設けられていることを特徴としている。
【考案の効果】
【００１１】
本考案の屋外設置用災害救助工具ボックスによれば、外ボックス内に取出可能に収容された収容ボックスを備え、収容ボックスには短尺工具収容部が設けられ、外ボックスの外側側面部及び外側背面部と収容ボックスの内側側面部及び内側背面部との間に長尺工具収容部が設けられている。
そのため短尺工具と長尺工具とを外ボックス内に配置効率よく収容でき、大規模災害が生じた際に、同時に複数の場所で使用されるような種々の大きさの災害救助工具を、できるだけコンパクトに収容することができ、屋外の種々の場所に容易に設置することができる。
【００１２】
また災害救助工具の使用時には、外ボックスの開閉扉を開くことで、収容ボックスの短尺工具収容部から短尺工具を取出すことができる。
一方、外ボックスの開閉扉を開いて収容ボックスを外部に取り出すことで、長尺工具収容部に収容された各長尺工具を露出させることができ、何れの位置に収容された長尺工具であっても容易に取出すことができる。
【００１３】
従って、災害救助の際に同時に多数の場所で必要な災害救助工具をできるだけコンパクトに収容して屋外に設置することができるとともに、長尺工具であっても短尺工具であっても容易に取出して使用することができる屋外設置用災害救助工具ボックスを提供することができる。
【００１４】
請求項２に記載の屋外設置用災害救助工具ボックスによれば、外ボックスの所定高さにおける内面に、長尺工具の一部を配置可能な間隙を設けて、帯状の倒れ防止部材が内面に沿って配設されているので、長尺工具を立てた状態で外ボックスの内側周囲と倒れ防止部材との間の間隙に配置することで、外ボックス内に安定して収容することができる。しかも収容ボックスを外ボックスから取出しても、長尺工具を安定して支持することができるため、長尺工具を一層取出し易くすることができる。
【００１５】
請求項３に記載の屋外設置用災害救助工具ボックスによれば、収容ボックスを載置して長尺工具の着脱可能な頭部を収容した中空架台が外ボックス内に取出可能に収容されているので、頭部が肥大した形状の長尺工具を外ボックス内に収容する際、柄部等から頭部を離脱させ、柄部等を長尺工具収容部に収容するとともに頭部を中空架台内に収容し、さらに外ボックス内に中空架台を収容してその上に収容ボックスを載置することで、頭部が肥大した形状の長尺工具をできるだけコンパクトに収容することができる。
【００１６】
さらに長尺工具収容部には柄部だけを収容するので長尺工具収容部を狭い幅で形成することも可能であり、柄部等に対して頭部が大きい長尺部材であっても、外ボックス内にコンパクトに収容することができる。そのためより効率よくコンパクトに多数の災害救助工具を収容することができる。
【００１７】
請求項４に記載の屋外設置用災害救助工具ボックスによれば、外ボックスの外側上面部に位置表示灯が配設されているので、夜間に災害救助工具を使用する際、を位置表示灯の明かりで外ボックスの位置を容易に把握することができ、災害救助工具を使用し易くできる。
【００１８】
請求項５に記載の屋外設置用災害救助工具ボックスによれば、外ボックスの開口端部の全周囲と開閉扉との間には、開閉扉を密閉する扉シール部が連続して設けられているので、開閉扉で閉じることにより、外ボックス内に外部から水分がり流入することを防止できる。そのため収容された災害救助工具の錆の発生などを防止して長期間メンテナンスすることなく設置することが可能である。
【図面の簡単な説明】
【００１９】
【図１】本考案の実施形態に係る屋外設置用災害救助工具ボックスを示し、（ａ）は正面図、（ｂ）は側面図である。
【図２】本考案の実施形態に係る屋外設置用災害救助工具ボックスにおいて開閉扉を開いた状態を示す斜視図である。
【図３】本考案の実施形態に係る屋外設置用災害救助工具ボックスにおいて、収容ボックス及び中空架台を取出した状態を示す斜視図である。
【図４】図２Ａ−Ａ断面図である。
【図５】図２Ｂ−Ｂ断面図である。
【考案を実施するための形態】
【００２０】
以下、本考案の実施形態について、図を用いて詳細に説明する。
この実施形態の屋外設置用災害救助工具ボックスは、大規模災害時等に使用される各種の災害救助工具を収容し、外気を遮断して屋外に常時設置されるボックスである。
【００２１】
大規模災害時等に使用される災害救助工具は、適宜選択できるが、この実施形態では、イーグルトビ、カケヤ、ノコギリ、ボルトクリッパー、テコバール、平バール、ハンマー、スコップ、ツルハシ、手鉤、ジャッキ、オノ、ロープなどの工具が災害救助工具ボックスに収容されている。
【００２２】
また三角巾、担架、包帯、ガーゼ、脱脂綿、防寒シート、ティッシュ、ハサミ、ピンセット、トゲヌキなどの各種の救急用品が収容箱等に収納された状態で、災害救助工具ボックスに収容されている。
さらにゴーグル、各種ランプ、手袋、乾電池、ハサミ、ナイフ、呼笛、タオル、マスクなどの保護具がトランク等に収納された状態で、災害救助工具ボックスに収容されている。
【００２３】
この実施形態では、全ての災害救助工具が、例えば樹脂製のシートや袋などに収容されて脱気及び密封された真空パックの状態で収容されており、空気や水分との接触が遮断されている。
【００２４】
この実施形態の災害救助工具ボックスでは、これらの災害救助工具を大きさ、特に長さに応じて長尺工具と短尺工具とに分類し、予め災害救助工具ボックスの内部に設定されている長尺工具収容部及び短尺工具収容部にそれぞれ分類して収容されている。
ここで長尺工具及び短尺工具は、厳密に分類する必要はなく、予め設定された長尺工具収容部及び短尺工具収容部に収容可能な大きさか否かを主観的に判断した概略の分類でよく、適宜変更な分類である。
【００２５】
図１乃至図３に示すように、災害救助工具ボックス１０は、脚部１１に支持されて屋外に設置された外ボックス１２と、外ボックス１２内に取出可能に収容された収容ボックス１５及び中空架台１７と、を備えている。脚部１１は、例えば外ボックス１２から下方に延びる筒状体１１ａの下端に設置プレート１１ｂが設けられており、地面等の設置位置にアンカ等により固定されている。
脚部１１、外ボックス１２、収容ボックス１５、中空架台１７は、特に限定されるものではないが、この実施形態では、いずれもステンレス鋼により形成されている。
【００２６】
外ボックス１２は、縦長の中空直方体形状を有し、前面に広く開口１２ａが設けられた外ボックス本体１３と、外ボックス本体１３の前面の開口１２ａを開閉するようにヒンジ１４ａにより開閉可能に装着された開閉扉１４と、を有している。
【００２７】
収容ボックス１５及び中空架台１７は、外ボックス本体１３内に収容されて載置されている。ここでは外ボックス１２の開口１２ａ側の中間位置に中空架台１７が載置され、中空架台１７の上部に収容ボックス１５が載置されている。
【００２８】
収容ボックス１５は、縦長の中空直方体形状を有し、前面が開口し、一対の内側側面部１５ｃ及び内側背面部１５ｄを有するとともに、これらの内側を上下に仕切る複数の棚板１５ｅを有している。この収容ボックス１５には、短尺工具２１を収容可能な複数の短尺工具収容部１５ｆが棚板１５ｅにより区画されている。この実施形態では、上下に複数の短尺工具収容部１５ｆが設けられており、上下方向の大きさが互いに異なるように形成されている。
【００２９】
中空架台１７は、底部１７ａ、一部が開口して頂部１７ｂ及び側部１７ｃを有する中空直方体形状に形成されている。この中空架台１７は平面視形状が収容ボックス１５と略同じに形成されている。底部１７ａにより外ボックス本体１３の底面部１３ａに配置可能であり、頂部１７ｂに収容ボックス１５を載置可能となっている。頂部１７ｂと収容ボックス１５とが係止されもよい。
【００３０】
この中空架台１７には、長尺工具２２に着脱可能に設けられて収容ボックス１５の短尺工具収容部１５ｆに収容不能な大きさの頭部２２ａが、取外された状態で内部に収容されて底部１７ａ上に載置されている。ここではカケヤの樹脂頭部が収容されている。
【００３１】
外ボックス本体１３は、一対の外側側面部１３ｃ及び外側背面部１３ｄと、その下端に設けられて収容ボックス１５及び中空架台１７が載置される底面部１３ａと、上端に設けられた外側上面部１３ｂと、を備え、前面に広く開放可能な開口１２ａが設けられている。
この外ボックス本体１３には、外側側面部１３ｃ及び外側背面部１３ｄと、収容ボックス１５の内側側面部１５ｃ及び内側背面部と、の間に、長尺工具２２が縦向きに収容される長尺工具収容部１３ｆが設けられている。
この実施形態では、外ボックス本体１３の開口１２ａ側の中間位置に収容ボックス１５及び中空架台１７が配置されているので、これらを囲むように長尺工具収容部１３ｆが設けられている。
【００３２】
図４に示すように、外ボックス本体１３における外側側面部１３ｃの内面側及び外側背面部１３ｄの内面側の所定高さには、外側側面部１３ｃ及び外側背面部１３ｄとの間に長尺工具２２の一部が配置可能な間隙を設けて、帯状の倒れ防止部材１３ｅが内面に沿って配設されている。
この実施形態の外ボックス本体１３では、帯状の倒れ防止部材１３ｅが長尺工具収容部１３ｆの一部に設けられていてもよいが、帯状の倒れ防止部材１３ｅにより長尺工具収容部１３ｆが区画され
【００３３】
図５に示すように、底面部１３ａには、中空架台１７及び収容ボックス１５が配置される部位を区画する帯状の仕切壁１３ｇが平面視略コ字状に設けられている。この仕切壁１３ｇは底面部１３ａにおける長尺工具収容部１３ｆの領域も区画しているのがよい。
このような仕切壁１３ｇは、収容ボックス１５及び中空架台１７の底部１７ａを水平方向に係止して所定位置に配置できる程度の高さに設けられており、外ボックス本体１３の底面部１３ａに載置される長尺工具２２の下端を当接して支持できる程度の高さとなっている。
【００３４】
図２、図４及び図５に示すように、外ボックス１２の開口１２ａ端部の全周囲と開閉扉１４との間には、開閉扉１４を密閉する扉シール部１９が連続して設けられている。
外ボックス本体１３の開口１２ａの周囲には、環状に突出して開閉扉１４が閉じられた際に開閉扉１４と対向する頂部が平坦に形成されたシール突部１３ｈが設けられている。
【００３５】
一方、開閉扉１４は、扉面部１４ｂの周囲から外ボックス本体１３側に突出し、シール突部１３ｈを収容するように外周囲を囲む環状突縁部１４ｃと、環状突縁部１４ｃの内側に沿って設けられて開閉扉１４が閉じられた際にシール突部１３ｈが液密に密着する環状パッキン１４ｄと、を有してる。環状パッキンは、例えば厚み１０ｍｍ以上の弾性体などにより形成されている。
【００３６】
開閉扉１４には、ロック機構２３を備えた開閉ハンドル２４が、上下２カ所に設けられている。各開閉ハンドル２４は開閉扉１４に回動可能に装着され、回動させることで外ボックス１２の開口１２ａ付近に設けられた図示しない受部に係脱可能に構成されている。各ロック機構２３は、鍵の操作により開閉ハンドル２４の回動を規制可能に構造されている。これらのロック機構２３及び開閉ハンドル２４は防水機能を備えており、外ボックス１２の外部からの水の浸入が防止されている。
【００３７】
図１乃至図３に示すように、外ボックス本体１３の外側上面部１３ｂには位置表示灯２５が配設されている。
この実施形態では、位置表示灯２５にソーラーパネル２６が一体に設けられているため、太陽光発電により蓄電し、その電力でＬＥＤランプ２７を点滅するように構成されている。
【００３８】
図１に示すように、外ボックス１２の外表面には、各種の表示部２８が設けられていてもよい。この実施形態では、例えば避難集合場所であることを示す表示部２８や、収容物についての情報を示す表示部２８などが設けられている。さらに外表面に再帰反射材を用いた反射シール２９が付着されており、例えば蓄電された電力の消費後に位置表示灯２５が点灯しない状態であっても、光を照射することで位置を把握できるようにされている。
【００３９】
以上のような本実施形態の屋外設置用災害救助工具ボックス１０によれば、外ボックス１２内に取出可能に収容された収容ボックス１５を備え、収容ボックス１５には短尺工具収容部１５ｆが設けられ、外ボックス１２の外側側面部１３ｃ及び外側背面部１３ｄと収容ボックス１５の内側側面部１５ｃ及び内側背面部との間に長尺工具収容部１３ｆが設けられている。
そのため短尺工具２１と長尺工具２２とを外ボックス１２内に配置効率よく収容でき、大規模災害が生じた際に、同時に複数の場所で使用されるような種々の大きさの災害救助工具を、できるだけコンパクトに収容することができ、屋外の種々の場所に容易に設置することができる。
【００４０】
また災害救助工具の使用時には、外ボックス１２の開閉扉１４を開くことで、収容ボックス１５の短尺工具収容部１５ｆから短尺工具２１を取出すことができる。
一方、外ボックス１２の開閉扉１４を開いて収容ボックス１５を外部に取り出すことで、長尺工具収容部１３ｆに収容された各長尺工具２２を露出させることができ、何れの位置に収容された長尺工具２２であっても容易に取出すことができる。
従って、災害救助の際に同時に多数の場所で必要な災害救助工具をできるだけコンパクトに収容して屋外に設置することができるとともに、長尺工具２２であっても短尺工具２１であっても容易に取出して使用することが可能である。
【００４１】
この実施形態の屋外設置用災害救助工具ボックス１０では、非常にコンパクトに形成されているため、屋外のどのような地点に設置しても邪魔にならない。設置場所としては、街頭、広場、道路、駐車場、工場、庭など、どのような場所にも容易に設置することができる。
【００４２】
そのため従来の備蓄倉庫のように、広範囲毎に一部に配置するのではなく、僅かな世帯毎に、例えば１００〜２００世帯毎に、１台のように多数の地点に設置することが可能である。その結果、大規模災害が生じた際に、同時に複数の場所で使用される多数の災害救助工具を容易に使用できる状態で、多数配置しておくことができ、大規模災害時の地域の災害救助活動をより円滑に行うことが可能である。
【００４３】
この屋外設置用災害救助工具ボックス１０では、外ボックス１２の所定高さにおける内面に、長尺工具２２の一部を配置可能な間隙を設けて、帯状の倒れ防止部材１３ｅが内面に沿って配設されているので、長尺工具２２を立てた状態で外ボックス１２の内側周囲と倒れ防止部材１３ｅとの間の間隙に配置することで、外ボックス１２内に安定して収容することができる。しかも収容ボックス１５を外ボックス１２から取出しても、長尺工具２２を安定して支持することができるため、長尺工具２２を一層取出し易くすることができる。
【００４４】
この屋外設置用災害救助工具ボックス１０では、収容ボックス１５を載置して長尺工具２２の着脱可能な頭部２２ａを収容した中空架台１７が外ボックス１２内に取出可能に収容されているので、頭部２２ａが肥大した形状の長尺工具２２を外ボックス１２内に収容する際、柄部２２ｂ等から頭部２２ａを離脱させ、柄部２２ｂ等を長尺工具収容部１３ｆに収容するとともに頭部２２ａを中空架台１７内に収容し、さらに外ボックス１２内に中空架台１７を収容してその上に収容ボックス１５を載置することで、頭部２２ａが肥大した形状の長尺工具２２をできるだけコンパクトに収容することができる。
【００４５】
さらに長尺工具収容部１３ｆには柄部２２ｂだけを収容するので長尺工具収容部１３ｆを狭い幅で形成することも可能であり、柄部２２ｂ等に対して頭部２２ａが大きい長尺部材であっても、外ボックス１２内にコンパクトに収容することができる。このように収容していても、使用時には、外ボックス１２の開閉扉１４を開いて収容ボックス１５と中空架台１７とを取出し、長尺工具収容部１３ｆから柄部２２ｂ等を取出すとともに中空架台１７から頭部２２ａを取出し、柄部２２ｂ等に頭部２２ａを装着して使用することができる。
【００４６】
この屋外設置用災害救助工具ボックス１０では、外ボックス１２の外側上面部に位置表示灯２５が配設されているので、夜間に災害救助工具を使用する際、を位置表示灯２５の明かりで外ボックス１２の位置を容易に把握することができる。そのため大規模災害により送電が遮断された際、夜間であっても位置表示灯２５により認識でき、災害救助工具を使用し易くできる。
また災害が発生していない通常時には、街灯とともに、或いは街灯の代わりに設置して街灯として使用することも可能である
【００４７】
この屋外設置用災害救助工具ボックス１０では、外ボックス１２の開口１２ａ端部の全周囲と開閉扉１４との間には、開閉扉１４を密閉する扉シール部１９が連続して設けられているので、開閉扉１４で閉じることにより、外ボックス１２内に外部から水分がり流入することを防止できる。そのため収容された災害救助工具の錆の発生などを防止して長期間メンテナンスすることなく設置することが可能である。
【００４８】
なお上記実施形態は、本考案の範囲内において適宜変更可能である。例えば上記では、収容ボックス１５とは別体の中空架台１７を用いた例について説明したが、特に限定されるものではなく、中空架台１７を用いずに、外ボックス１２の底面部１３ａに収容ボックス１５を載置していてもよい。
【符号の説明】
【００４９】
１０…災害救助工具ボックス、１１…脚部、１１ａ…筒状体、１１ｂ…設置プレート、１２…外ボックス、１２ａ…開口、１３…外ボックス本体、１３ａ…底面部、１３ｂ…外側上面部、１３ｃ…外側側面部、１３ｄ…外側背面部、１３ｅ…倒れ防止部材、１３ｆ…長尺工具収容部、１３ｇ…仕切壁、１３ｈ…シール突部、１４…開閉扉、１４ａ…ヒンジ、１４ｂ…扉面部、１４ｃ…環状突縁部、１４ｄ…環状パッキン、１５…収容ボックス、１５ｃ…内側側面部、１５ｄ…内側背面部、１５ｅ…棚板、１５ｆ…短尺工具収容部、１７…中空架台、１７ａ…底部、１７ｂ…頂部、１７ｃ…側部、１９…扉シール部、２１…短尺工具、２２…長尺工具、２２ａ…頭部、２２ｂ…柄部、２３…ロック機構、２４…開閉ハンドル、２５…位置表示灯、２６…ソーラーパネル、２７…ＬＥＤランプ、２８…表示部、２９…反射シール
【図１】
0003215889.tif 000003
【図２】
0003215889.tif 000004
【図３】
0003215889.tif 000005
【図４】
0003215889.tif 000006
【図５】
0003215889.tif 000007